(57)【要約】【課題】  通し柱の湾曲を防止して、胴差し仕口個所から折損する危険を軽減する。【解決手段】  通し柱１の下端を基礎４に固定した第１の引き寄せボルト８に緊結し、上端を上端横架材７ａに第２の引き寄せボルト１６で緊結し、通し柱１の側面に固定した複数の中継金物９を利用して第１と第２の引き寄せボルト間をタイトボルト１０で緊結する。中間横架材６ａの個所では、タイトボルト１２を中間横架材６ａに貫通させ両端を中間横架材６ａが接合した個所の上下に固定した中継金物１１，１３に結合して緊結する。湾曲に対するタイトボルトの抵抗により、通し柱１が胴差し仕口個所から折損するのが防止される。【選択図】          図１
2006299609.tif 000002
【特許請求の範囲】
【請求項１】
基礎上の土台に、複数階を貫く通し柱が立設され、これに中間横架材と上端横架材が接合される木造軸組み住宅において、下部を基礎に固定し土台に貫通させた引き寄せボルトの上部を、通し柱に固定した基部中継金物に結合し、中間横架材を上下に貫通させたタイトボルトの下部と上部を、通し柱に固定した中間中継金物にそれぞれ結合し、上端横架材に貫通させた引き寄せボルトの上部を上端横架材に固定するとともに下部を、通し柱に固定した端部中継金物に結合し、さらに、隣り合う中継金物間をタイトボルトで結合し、それぞれ中継金物との間で緊締してあることを特徴とした通し柱の補強構造。
【請求項２】
引き寄せボルトと中継金物およびタイトボルトとで形成する補強ラインが、通し柱の４側面のうち複数の面に形成してあることを特徴とした請求項１に記載した通し柱の補強構造。
【請求項３】
中継金物は長ナットによって、上方と下方の引き寄せボルトないしタイトボルトの端部を結合するものであることを特徴とした請求項１または請求項２に記載した通し柱の補強構造。
【請求項４】
中継金物は、上方と下方の引き寄せボルトないしタイトボルトをそれぞれの端部に螺合させる通常ナットにより結合するものであることを特徴とした請求項１または請求項２に記載した通し柱の補強構造。
【発明の詳細な説明】
【技術分野】
【０００１】
この発明は、木造軸組み住宅の通し柱を補強する構造に関する。
【背景技術】
【０００２】
２階建てや３階建ての木造軸組み住宅では、建物の隅部や直線壁となる個所の中央部に複数階通しの柱（通し柱）を用いることがある。通し柱には、梁や桁等の横架材を胴差しする仕口個所があり、この個所では、横架材の端部を差し込む「ほぞ」が穿たれていて通し柱の断面欠損個所となっている。ほぞの深さは柱寸法の約１／３（１２０ｍｍ角であれば４０ｍｍ）までとの規制があるが、柱の欠損個所であることに変わりなく、しかも、１本の通し柱のほぼ同じ個所に横架材が２方向（建物隅部の梁と桁）や３方向（梁と通し柱両側の桁等）、場合によっては、４方向から集中し、柱断面の欠損は大きい。
一方、２階建て住宅の場合、地震などの揺れがあると、梁などの横架材が通し柱を側方から押すように作用し、通し柱を湾曲させる。通し柱が湾曲する場合、断面欠損の大きな前記仕口個所に応力が集中して、４方向にほぞがあると側方へ約２０ｍｍの変位で柱が折損すると考えられている。３方向では３０ｍｍ，２方向では４０ｍｍとされている。このため地震時に通し柱が折れる事態が心配される。
【０００３】
特許文献１では、躯体四隅の通し柱（６）における梁（１０）を接合する仕口個所に、断面Ｌ字形の中間固定部（Ａ´）を取り付けている。これにより、仕口個所が補強されることが推測されるが、この中間固定部（Ａ´）は梁固定部（Ｄ）とあわせて通し柱と梁との「接合状態」を補強しようとするもので、通し柱の補強ではない。
特許文献２の連結補強具（１００）は、梁（１１０）を貫通し柱（６）に両端を結合した第１軸（２００）と、梁（１１０）を貫通し両端を梁（１１０）に固定した第２軸とをその端部同士を連結アームで結合した構造であり、やはり、梁（１１０）と上下の間柱の「接合状態」を維持するための補強部材である。第１軸（２００）は、梁（１１０）を貫通して柱（６）に両端を結合した構造であるが、通し柱（６）が湾曲することを防止して補強しようとする技術的思想は見出せない。
特許文献３は、通し柱の中間仕口部分を鉄板により補強するものであるが、鉄板を通し柱の胴差し仕口個所に巻きつける構造であり、胴差し仕口個所の補強にはなっても、鉄板にほぞ差し込み用の孔を予め形成しておくとか、補強用鉄板の端部同士を溶接しなければならない煩わしがあって、実際的ではない。
【０００４】
【特許文献１】特開２００２−１９４８１３号公報
【特許文献２】特開２００３−２２１８７３号公報
【特許文献３】特開２００４−９２２４１号公報
【発明の開示】
【発明が解決しようとする課題】
【０００５】
この発明は、簡単な金物と作業で通し柱そのものを直接に補強する構造を提供する。
【課題を解決するための手段】
【０００６】
通し柱の側面に中継金物を固定し、これを利用して引き寄せボルトとタイトボルトを通し柱の側面に沿って、基礎から上端横架材まで連続させて緊締し、通し柱を基礎と上端横架材に固定すると同時に通し柱の湾曲を防止する。中継金物を利用した引き寄せボルトとタイトボルトによる補強ラインは、通し柱の複数の側面に取り付けることがある。
【発明の効果】
【０００７】
通し柱の下端（基礎側）と上端（上端横架材側）が確実に固定されるとともに、緊締状態の引き寄せボルトとタイトボルトは、通し柱が湾曲しようとするときの抵抗部材となり、地震時に、通し柱が折損する危険を軽減することができる。
【発明を実施するための最良の形態】
【０００８】
通し柱の下端を、基礎に固定された引き寄せボルト（アンカーボルト）で土台に緊結し、上端を上端横架材に固定された引き寄せボルトで上端横架材に緊結し、中間に固定した中継金物間をこれらに両端を結合したタイトボルトで緊結する。引き寄せボルトとタイトボルトは通し柱に沿って上下方向の同一線上に配置されることが好ましい。
【実施例１】
【０００９】
図1は、２階建ての木造軸組み住宅における通し柱１を補強ライン２，３で補強した構造である。通し柱１は、下端が基礎４上の土台５に載置され、中間に２階床構造の梁となる中間横架材６ａと桁となる中間横架材６ｂが接合され、上端に屋根小屋組みの梁となる上端横架材７ａと桁となる７ｂが接合されている。
補強ライン２，３の構成は同じで、通し柱１の下端側から第１の引き寄せボルト８（アンカーボルト）、第１の中継金物９、第１のタイトボルト１０、第２の中継金物１１、第２のタイトボルト１２および第３の中継金物１３、第３のタイトボルト１４、第４の中継金物１５及び第２の引き寄せボルト１６で構成されている。
【００１０】
第１〜第４の中継金物９，１１，１３，１５は同じ構造であり、図２、図４に示すように、両側の取り付け板部１７と中央で断面Ｕ字形をした係合部１８とで構成され、係合部１８は上係合部１８ａと下係合部１８ｂに分かれ、間にスペース１９が形成されている。スペース１９には長ナット２０が配置される。スペース１９の間隔と長ナット２０の軸方向寸法はほぼ同じかわずかに小さくしてあり、スペース１９で長ナット２０が回転できるようになっている。
【００１１】
第１の引き寄せボルト８（図１）は、基礎４に下端部を固定されたアンカーボルトであり、上部を土台５に貫通させて上方に突出させてある。第２の引き寄せボルト１６は、上端横架材７ａに貫通させ下部を下方へ突出させるもので、上部は上端横架材７ａに固定される。固定の態様はワッシャとナットによるなどさまざまであるが、この実施例では座金付きボルトを利用している。第１〜第３のタイトボルト１０，１２，１４は、いずれも鋼棒の両端に左ねじと右ねじを形成したもので、これらのねじを長ナット２０に螺合することができる。
【００１２】
補強ライン２は、次のように形成される。
上端横架材７ａに貫通させた第２の引き寄せボルト１６の下部を第４の中継金物１５の上係合部１８ａに挿し通してスペース１９に配置した長ナット２０で仮止めしておく。
第４の中継金物１５の下係合部１８ｂに第３のタイトボルト１４の上部を挿し通して前記の長ナット２０で仮止めし、さらに、第３のタイトボルト１４の下部を第３の中継金物１３の上係合部１８ａに挿し通して長ナット２０で仮止めしておく。
中間横架材６ａを貫通させた第２のタイトボルト１２の上部を前記第３の中継金物１３の下係合部１８ｂに挿し通して前記の長ナット２０で仮止めし、さらに、第２のタイトボルト１２の下部を第２の中継金物１１の上係合部１８ａに挿し通して長ナット２０で仮止めしておく。
【００１３】
第２の中継金物１１の下係合部１８ｂに第１のタイトボルト１０の上部を挿し通して前記の長ナット２０で仮止めし、さらに、第１のタイトボルト１０の下部を第１の中継金物９の上係合部１８ａに挿し通して長ナット２０で仮止めし、第１の中継金物９の下係合部１８ｂに第１の引き寄せボルト８の上部を挿し通して長ナット２０に螺合させる。第１のタイトボルト１０の下部と第１の引き寄せボルト８の上部とを第１の中継金物９で結合する作業は、第１の中継金物９をけんどん式に移動させて行う。
【００１４】
このようにして、各部材が一連に連結されたなら、第１〜第４の中継金物９，１１，１３，１５を通し柱１に取り付け板部１７で固定する。ついで、各中継金物における長ナット２０を回転して上端横架材７ａと基礎４間の引き寄せボルト８、１６及びタイトボルト１０，１２，１４を締め上げ緊結する。この際、前記の各部材が通し柱１の側面に沿った上下方向の直線に沿って整列することが好ましい。
【００１５】
以上から明らかなように、第１、第２の引き寄せボルト８，１６により、通し柱１は基礎４と上端横架材７ａ間に緊結されるとともに、通し柱１に固定された第１〜第４中継金物９，１１，１３，１５間を結合したタイトボルトが緊結される。通し柱１の縦方向の曲げには凸曲と凹曲があるが、これに応じて、通し柱１が曲がろうとするとき、タイトボルト１０，１２，１４に引き伸ばしあるいは圧縮の力が作用する。しかし、タイトボルト１０などの引き伸ばしや圧縮には大きな力が要るので、通し柱１は曲げに対する抵抗力が増し、折損の危険が軽減される。各中継金物における長ナット２０は上係合部１８ａと下係合部１８ｂ間のスペース１９にあって、上下方向のいずれにもほとんど移動しないから、緊結されたタイトボルトによる曲げに対する抵抗力は凹凸双方に有効である。
また、この実施例は、同じ通し柱１に第２の補強ライン３を形成している。第２の補強ライン３は第１の補強ライン２と同じ構成であるが、第１の補強ライン２とは異なる側面（桁方向）に設定され、前記の凹凸湾曲が生じる面とは直行した面の凹凸湾曲に抵抗するよう配置されている。
【００１６】
図３、図５は、中継金物９（１１，１３，１５も同じ）に対する係合構造の他の例であって、前記のような長ナット２０を用いずに、通常ナット２１を引き寄せボルト８あるいはタイトボルト１０の端部に螺合させて中継金物９と係合させてある。それぞれの通常ナット２１は引き寄せボルト８やタイトボルト１０が緊締されることにより、上係合部１８ａと下係合部１８bに反対向きに係合する。この係合構造では、それぞれにナットを用いることで、長ナット２０のように、一つの中継金物９で結合される引き寄せボルト８のねじ方向とタイトボルト１０のねじの方向を異なるものにする必要がなく、また、通常ナット２１を利用できるので、コストを低減することができる。
【００１７】
図６，７は、中継金物９（１１，１３，１５も同じ）に関する他の例であって、係合部１８ａ，１８ｂの断面形状が鍵穴形とされている。この中継金物９では係合部１８ａ，１８ｂの個所における引き寄せボルト８やタイトボルト１０の遊動が抑制されるので、通し柱１の湾曲を防止する機能が強化される。
以上、２階建ての場合について説明したが、柱の湾曲を防止するとの観点からすれば、本願の発明は、１階建て住宅の柱や２階建て以上の住宅の通し柱などにも適用できる。
【図面の簡単な説明】
【００１８】
【図１】施工状態を概略で示した側面図。
【図２】中継金物部分の拡大図であり、（イ）は正面図、（ロ）は側面図。
【図３】他の中継金物部分の拡大図であり、（イ）は正面図、（ロ）は側面図。
【図４】中継金物の斜視図（長ナット）。
【図５】中継金物の斜視図（通常ナット）。
【図６】他の中継金物の斜視図（長ナット）。
【図７】他の中継金物の斜視図（通常ナット）。
【符号の説明】
【００１９】
１  通し柱
２  補強ライン
３  補強ライン
４  基礎
５  土台
６ａ，６ｂ  中間横架材
７ａ，７ｂ  上端横架材
８  第１の引き寄せボルト（アンカーボルト）
９  第１の中継金物
１０  第１のタイトボルト
１１  第２の中継金物
１２  第２のタイトボルト
１３  第３の中継金物
１４  第３のタイトボルト
１５  第４の中継金物
１６  第２の引き寄せボルト
１７  取り付け板部
１８ａ  上係合部
１８ｂ  下係合部
１９  スペース
２０  長ナット
２１  通常ナット
【図１】
2006299609.tif 000003
【図２】
2006299609.tif 000004
【図３】
2006299609.tif 000005
【図４】
2006299609.tif 000006
【図５】
2006299609.tif 000007
【図６】
2006299609.tif 000008
【図７】
2006299609.tif 000009